(57)【要約】      （修正有）【課題】初心者であっても、釣針等を十分遠方に投げることが可能となる投げ釣り補助具を提供する。【解決手段】釣り補助具１は、棒状部材２と、この棒状部材２に接続され使用者の体に装着される装着部材３と、釣竿Ａに固定可能であり棒状部材２を所定の力で保持可能な固定部材４と、を備えていることを特徴とする。なお、この場合において、固定部材４は磁石及び鉄の少なくともいずれかを備え、棒状部材２は鉄及び磁石の少なくともいずれかを含むことが好ましい。また、装着部材３は、使用者の首にかけるバンドを備える。【選択図】図１
0003200466.tif 000002
【実用新案登録請求の範囲】
【請求項１】
棒状部材と、
前記棒状部材に接続され使用者の体に装着される装着部材と、
釣竿に固定可能であり前記棒状部材を所定の力で保持可能な固定部材と、を備えた投げ釣り補助具。
【請求項２】
前記固定部材は磁石及び鉄の少なくともいずれかを備え、
前記棒状部材は鉄及び磁石の少なくともいずれかを含む、請求項１記載の投げ釣り補助具。
【請求項３】
前記装着部材は、使用者の首にかけるバンドを備える請求項１記載の投げ釣り補助具。
【請求項４】
前記装着部材は、長さ調節部材を備えている請求項１記載の投げ釣り補助具。
【考案の詳細な説明】
【技術分野】
【０００１】
本考案は、投げ釣り補助具に関する。
【背景技術】
【０００２】
投げ釣りとは、一般に、リールを備えた釣竿を用い、釣針や錘等を遠方に飛ばして行う釣りの一種であって、人気のある釣り方法である。
【０００３】
具体的に投げ釣りは、釣針等を遠方に飛ばすために釣竿を後方に勢いよくしならせてから前方に飛ばすが、この際、釣りを行う者は、釣糸を指で押さえて固定し、最も適切なタイミングで指を離し、釣糸を解放させる。
【０００４】
投げ釣りの方法に関しては、例えば下記非特許文献に開示がある。
【先行技術文献】
【非特許文献】
【０００５】
【非特許文献１】ｈｔｔｐ：／／ｓｕｒｆ．ｇｅａｒ−ｌａｂ．ｃｏｍ／０５．ｈｔｍ
【考案の概要】
【考案が解決しようとする課題】
【０００６】
しかしながら、初心者はこの釣糸を解放させるタイミングが難しく、釣針等を十分遠方に投げることが困難である。
【０００７】
そこで、本考案は上記課題に鑑み、初心者であっても、釣針等を十分遠方に投げることが可能となる投げ釣り補助具を提供することを目的とする。
【課題を解決するための手段】
【０００８】
上記課題を解決する本考案の一観点に係る投げ釣り補助具は、棒状部材と、棒状部材に接続され使用者の体に装着される装着部材と、釣竿に固定可能であり前記棒状部材を所定の力で保持可能な固定部材と、を備えたことを特徴とする。
【０００９】
また本観点において、限定されるわけではないが、固定部材は磁石及び鉄の少なくともいずれかを備え、棒状部材も磁石及び鉄の少なくともいずれかを含むものであることが好ましい。
【００１０】
また本観点において、限定されるわけではないが、装着部材は、使用者の首にかけるバンドであることが好ましい。
【００１１】
また本観点において、限定されるわけではないが、装着部材は、長さ調節部材を備えていることが好ましい。
【考案の効果】
【００１２】
以上、本考案によって、初心者であっても、釣針等を十分遠方に投げることが可能となる投げ釣り補助具を提供することができる。
【図面の簡単な説明】
【００１３】
【図１】実施形態に係る投げ釣り補助具の概略を示す図である。
【図２】実施形態に係る長さ調節部材の概略を示す図である。
【図３】実施形態に係る固定部材の概略を示す図である。
【図４】固定部材の他の一例を示す図である。（ａ）は釣竿の軸方向から見た場合を、（ｂ）は上から見た場合を、（ｃ）は断面の概略を、それぞれ示している。
【図５】固定部材の他の一例を示す図である。
【図６】実施形態に係る投げ釣り補助具の使用のイメージを示す図である。
【考案を実施するための最良の形態】
【００１４】
以下、本考案の実施形態について、図面を用いて詳細に説明する。ただし、本考案は多くの異なる形態による実施が可能であり、以下に示す実施形態、実施例の例示に限定されるものではない。
【００１５】
図１は、本実施形態に係る投げ釣り補助具（以下「本補助具」ともいう。）１の概略を示す図である。本図で示す通り、投げ釣り補助具１は、棒状部材２と、棒状部材２に接続され使用者の体に装着される装着部材３と、釣竿Ａに固定可能であり棒状部材２を所定の力で保持可能な固定部材４と、を備えている。本補助具１は、本図で示すように、固定部材４が釣竿Ａに固定され、装着部材３が使用者に装着されて使用されるものである。
【００１６】
本実施形態において、本補助具が固定される釣竿は、投げ釣りに用いられる通常の釣竿を用いることができ、材質や大きさなどは特に制限されない。ただし、投げ釣りに用いられるものであって、その限りにおいて、リールが付されているものであることが好ましい。
【００１７】
本実施形態において、棒状部材２は、固定部材によって一定の力によって保持されるものである。棒状部材２は、後述の記載からも明らかなように、固定部材に保持されるとともに、その状態で釣糸を引っ掛けることができる。
【００１８】
また本実施形態において、棒状部材２は、磁石及び鉄の少なくともいずれかを備えていること、より好ましくは磁石及び鉄の少なくともいずれかから構成されていることが好ましい。棒状部材２と固定部材３の組み合わせに鉄と磁石の組み合わせを用いることで、磁力によって所定の力で棒状部材を固定部材に保持させることが可能となり、例え釣竿を振り回した場合であっても、所定のタイミング以外のところで棒状部材と固定部材とが離れてしまうことを防止することができる。
【００１９】
また、本実施形態において、装着部材３は、上記図で示されるように、棒状部材２に接続され使用者の体に装着し、使用者の体の特定部位と棒状部材２の距離を一定にすることができるものである。これにより、棒状部材２を一定の範囲内にとどめておくことが可能となる。
【００２０】
また本実施形態において装着部材３は、上記の機能を有する限り種々の構成を採用することができるが、例えば使用者の首にかける紐状部材３２を備えたバンド、使用者の腕等に巻きつける紐状部材であることは好ましい一形態である。
【００２１】
また本実施形態において装着部材３には、長さを調節するための長さ調節部材３１が設けられていることが好ましい。このようにすることで、使用者の体の特定の位置と棒状部材２の位置との関係を釣竿の位置及び角度と調整しながら、最適な位置で棒状部材２が装着部材３から開放されるよう調節することが可能となる。またこの場合において、装着部材３１は２ヶ所設けられていることが好ましい。一方は全体の長さ調整に、他方は棒状部材と固定部材との長さを微調整するためのものとすることができ、より簡便かつ正確に調節することができるようになる。
【００２２】
この長さ調節部材３１の具体的な例について図２に示しておく。これは、装着部材３が紐状部材で構成されたバンドである場合に、このバンドの紐部分を留める留具であることが好ましく、さらには、この留具に棒状部材が接続されていることが好ましい。このようにすることで、使用者は止め具を用いて釣竿を所望の位置に保持するとともに、もっともよい長さに長さ調節部材３１を用いて調節し、その位置において棒状部材と固定部材が安定的に保持されるようになる。この結果、どのような体格の使用者であっても釣糸の開放位置が最もよい位置となるよう調節できる。
【００２３】
また本実施形態において、固定部材４は、上記のとおり、釣竿に固定される部材であり、上記棒状部材を所定の力で保持することができるものである。固定部材４の構成としては、特に限定されるわけではないが、例えば、磁石４２（棒状部材が磁石である場合は鉄でも可能）と、この磁石４２を保持する容器４３と、この容器を釣竿に固定するための帯部材４１とを備えていることが好ましいが、容器自体が釣竿を挟み込む構造となっていてもよい。この場合のイメージ図を図３、４に示しておく。なお、磁石以外の構成としては、例えば図５で示すような一定の力で接触端が押し合うリング状部材４４を用いることとしてもよい。
【００２４】
ここで、本補助具を用いた投げ釣りについて説明する。図６は、本補助具を用いた投げ釣り補助具の使用のイメージを示す図である。
【００２５】
まず、使用者は、装着部材に棒状部材を固定し釣竿を保持する。次に、釣竿を保持し、釣糸を開放する姿勢を確定させる。
【００２６】
次に、長さ調整部材を用いこの関係を固定し、固定部材に棒状部材を固定する。そして釣針に餌をつけた釣糸をこの棒状部材に絡めてしっかり張る。
【００２７】
そして、使用者は、釣竿を後ろに振り上げた後、勢いをつけて釣竿を前に出す。この結果、上記設定した位置に到達した際、棒状部材が固定部材から離れ、棒状部材に引っ掛けられていた釣糸が開放され、振られた勢いで釣針及び釣糸が遠方に投げられることとなる。
【００２８】
この結果、使用者はもっとも適切なタイミングで釣糸を投げることができるようになり、この開放のタイミングを本補助具の使用によって学び、いずれは補助具なしでも釣糸を遠方に投げることが可能となる。
【００２９】
以上、本考案によって、初心者であっても、釣針等を十分遠方に投げることが可能となる投げ釣り補助具を提供することができる。
【産業上の利用可能性】
【００３０】
本考案は、投げ釣り補助具として産業上の利用可能性がある。
【図１】
0003200466.tif 000003
【図２】
0003200466.tif 000004
【図３】
0003200466.tif 000005
【図４】
0003200466.tif 000006
【図５】
0003200466.tif 000007
【図６】
0003200466.tif 000008